(57)【要約】  高効率で安定した排液性能を持つと共に、原料に対する最適排液性能を実現する。左右一対の加圧ロール３２ａ，３２ｂの前後に設けられ、かつ、前記加圧ロール３２ａ，３２ｂの原料噛込み部３３に面して排液口１４を設けたチークプレート１であって、前記排液口１４の入側に、ウェッジワイヤスクリーン２をその通液用スロット２２が縦向き若しくは横向きになるように設ける。
2011065318.tif 000002
【特許請求の範囲】
【請求項１】
左右一対の加圧ロールの前後に設けられ、かつ、前記加圧ロールの原料噛込み部に面して排液口を設けたチークプレートであって、前記排液口の入側に、ウェッジワイヤスクリーンをその通液用スロットが縦向き若しくは横向きになるように設けたことを特徴とするウェッジワイヤスクリーン付きのチークプレート。
【請求項２】
前記排液口の入側に、通液用スロットが縦向き若しくは横向きで、且つ、背面側が凸状になるように湾曲させたウェッジワイヤスクリーンを設けたことを特徴とする請求項１記載のウェッジワイヤスクリーン付きのチークプレート。
【発明の詳細な説明】
【技術分野】
【０００１】
本発明は、水や粘結剤等の液を含んだ原料をペレット状に造粒する造
粒機（ブリケットマシン）、或いは、前記原料をプレート状に圧縮成形
するコンパクター等に適用するウェッジワイヤスクリーン付きのチーク
プレートに関する。
【背景技術】
【０００２】
従来、水分を含んだ原料、例えば、ガスハイドレートをペレット状に
造粒するブリケットマシンとしては、左右一対の加圧ロールの上方に原
料供給ホッパを設け、更に、この原料供給ホッパの前後両端から左右一
対の加圧ロールの前後両端にわたってチークプレートを設け、この２枚
のチークプレートのうちの一方にベントホールを設けるか又は一方のチ
ークプレートを多孔質体で形成し、ベントホール又は多孔質体チークプ
レートをホース取付具及びホースを介して真空源に連通させたものが知
られている（例えば、特許文献１参照。）。【０００３】
しかし、ベントホール方式の場合は、ベントホールに装着するベント
プラグの最適な孔径を選定することが難しい。また、多孔質体チークプ
レート方式の場合は、原料に対して最適な孔径を持つチークプレートを
選定すること、或いは、目詰まりを解消することに困難が伴う。【０００４】
従って、ガスハイドレートをペレット状に造粒するに際して、高圧環
境下、或いは、大気圧環境下において各種の試験を試みたが実現不可能
であった。
【先行技術文献】
【特許文献】
【０００５】
【特許文献１】日本特開平８−５７６９８号公報
【発明の概要】
【発明が解決しようとする課題】
【０００６】
本発明は、上記のような問題を解決するためになされたものであり、
その目的は、高効率で安定した排液性能を持つと共に、原料に対する最
適な排液性能を実現できるウェッジワイヤスクリーン付きのチークプレ
ートを提供することにある。
【課題を解決するための手段】
【０００７】
本発明は、左右一対の加圧ロールの前後に設けられ、かつ、前記加圧
ロールの原料噛込み部に面して排液口を設けたチークプレートであって
、前記排液口の入側に、ウェッジワイヤスクリーンをその通液用スロッ
トが縦向き若しくは横向きになるように設けたことを特徴とするもので
ある。【０００８】
本発明は、前記排液口の入側に、通液用スロットが縦向き若しくは横
向きで、且つ、背面側が凸状になるように湾曲させたウェッジワイヤス
クリーンを設けたことを特徴とするものである。
【発明の効果】
【０００９】
本発明によれば、高圧環境下、或いは、大気圧環境下において、多量
の水や粘結剤等の液を含んだ原料をペレット状に造粒する場合、或いは
、プレート状に圧縮成形する場合であっても、目詰まりを起こすことな
く、水や粘結剤等の液を円滑に除去することができる。例えば、多量の
水を含んだガスハイドレートスラリーをペレット状に成形するケースで
は、連続的で且つスムースに排水できるようになり、これまで困難であ
った高含水率（含水率約７０重量％）のガスハイドレートスラリーから
のペレット成形が、安定して連続的に行えるようになった。
【図面の簡単な説明】
【００１０】
【図１】図１は本発明に係るウェッジワイヤスクリーン付きのチークプレートの正面図である。
【図２】図２は図１のＡ−Ａ断面図である。
【図３】図３は本発明に係るウェッジワイヤスクリーン付きのチークプレートを採用したガスハイドレートペレット製造装置の一部断面を含む正面図である。
【図４】図４は図３のＢ−Ｂ断面図である。
【図５】図５は本発明に係るウェッジワイヤスクリーン付きのチークプレートを採用したコンパクターの一部断面を含む正面図である。
【発明を実施するための形態】
【００１１】
図１に示すように、本発明のウェッジワイヤスクリーン２付きのチー
クプレート１は、ウェッジワイヤスクリーン２及びチークプレート３に
より構成されている。チークプレート３は、その上辺１１が下辺１２よ
りも大きく、かつ、互いに平行になっているが、その左右両辺１３ａ，
１３ｂが湾曲状に凹んでいる。また、チークプレート３は、その略中央
に略Ｕ字形の排液口１４を備えている。
【００１２】
ウェッジワイヤスクリーン２は、図１及び図２に示すように、横断面
三角形の金属製の線状体２１を一定間隔で並べたものであり、隣接する
２本の線状体２１，２１の間に設けられた通液用スロット２２が縦向き
になっている。その上、線状体２１の背面は、線状体２１と直交するよ
うに配置した棒又は線状の複数の支持体２３に固定されている。図２に
示すように、横断面三角形の線状体２１は、平面状の面２２ａを前方（
水や粘結剤等の液を含んだ原料がある側）に向けると共に、面２２ａの
背後にあるＶ字形の尖端部２２ｂを金属製の支持体２３に固着している
。
【００１３】
また、ウェッジワイヤスクリーン２は、下方になるほど横幅が縮小す
る逆台形状に形成されると共に、図２に示すように、横断面が円弧状に
なるように形成されている。換言すると、ウェッジワイヤスクリーン２
は、背面側（水や粘結剤等の液が排出する側）が凸状になるように湾曲
している。
【００１４】
ただし、排水性能を決定する通液用スロット２２の幅（隣接する２本
の線状体２１，２１の隙間）は、チークプレートの上下で一定間隔とな
っている。このウェッジワイヤスクリーン２は、排液口１４を塞ぐよう
にチークプレート３の前面に装着されている。その際、ウェッジワイヤ
スクリーン２の支持体２３の両端部２３ａは、チークプレート３に設け
た横溝１５内に固定されている。
【００１５】
通液用スロット２２の横幅は、原料、例えば、ガスハイドレート、微
粉炭、コークス粉、転炉ダスト、金属研磨粉、有機系乾燥物、ニッケル
鉱石粉などによって最適な寸法に選定される。
【００１６】
次に、ウェッジワイヤスクリーン２付きのチークプレート１をガスハ
イドレートペレット製造装置３０に適用した場合について説明する。
【００１７】
図３に示すように、ガスハイドレートペレット製造装置３０は、外周
面に多数のディンプル（ペレット成形型）３１を形成した一対の加圧ロ
ール３２ａ，３２ｂを左右に並べて配設し、図示しない駆動装置によっ
て矢印方向に回転するように構成している。
【００１８】
この左右一対の加圧ロール３２ａ，３２ｂの噛込み部３３の上方には
、電動モータ３４によって駆動されるスクリューフィーダ３５を備えた
原料供給ホッパ３６を配置している。この原料供給ホッパ３６は、下方
になるほど横断面が縮小する裁頭四角錐状、若しくは裁頭円錐状に形成
され、その下部に既に説明したウェッジワイヤスクリーン２付きのチー
クプレート１と、ウェッジワイヤスクリーン２を具備しないチークプレ
ート１’を設けている。
【００１９】
これらのチークプレート１，１’は、原料供給ホッパ３６から供給さ
れた原料の横漏れを防ぐため、左右一対の加圧ロール３２ａ，３２ｂの
噛込み部３３に設けられている。この場合、図４に示すように、ウェッ
ジワイヤスクリーン２付きのチークプレート１は、左右一対の加圧ロー
ル３２ａ，３２ｂの背後に設けられ、ウェッジワイヤスクリーン２を具
備しないチークプレート１’は、左右一対の加圧ロール３２ａ，３２ｂ
の前方に設けられる。
【００２０】
また、ウェッジワイヤスクリーン２付きのチークプレート１は、その
背面に設けた当て板４にウェッジワイヤスクリーン２付きのチークプレ
ート１の排液口１４に連通する配管５を装着している。この配管５から
液が排出される訳だが、この際、真空源（真空ポンプ等）を用い、配管
５内を減圧すると排水効率が高まるので好ましい。
【００２１】
次に、図３及び図４に示すように、原料供給ホッパ３６に原料、例え
ば、水分を含んだスラリー状のガスハイドレートｎを供給して左右一対
の加圧ロール３２ａ，３２ｂを矢印方向に回転させると、左右一対の加
圧ロール３２ａ，３２ｂの外周面に形成したディンプル３１によってガ
スハイドレートペレットｐが形成されると共に、スラリー状のガスハイ
ドレートｎに含まれている水分が左右一対の加圧ロール３２ａ，３２ｂ
の噛込み部３３側に絞り出されるが、この水ｗは、ウェッジワイヤスク
リーン２の通液用スロット２２を通過して配管５より外部に排出される
。
【００２２】
以上の説明では、ガスハイドレートをペレット状に形成する場合につ
いて説明したが、微粉炭、コークス粉、転炉ダスト、金属研磨粉、有機
系乾燥物、ニッケル鉱石粉等の造粒に適用することができる。
【００２３】
また、ウェッジワイヤスクリーン２は、通液用スロット２２を横向き
にする場合も場合もある。また、ウェッジワイヤスクリーン２を具備し
たチークプレート１は、噛込み部３３の両側に設けてもよく、その場合
、排水速度を大幅に増加でき、好ましい。また、噛込み部３３に図示し
ない圧力センサや温度センサを設置することでフィードバック制御（例
えば、ＰＩＤ制御）が可能となるので好ましい。
【００２４】
一方、図５に示すように、ウェッジワイヤスクリーン２付きのプレー
ト１をコンパクター４０に適用することができる。コンパクター４０は
、ディンプル３１を具備しない外周面が平坦な左右一対の加圧ロール４
２ａ，４２ｂを使用してプレート状物ｃを成形するようになっている。
尚、コンパクター４０については、ガスハイドレートペレット製造装
置３０と同じ部位に同じ符号を付けて詳しい説明を省略する。
【符号の説明】
【００２５】
２  ウェッジワイヤスクリーン
３  チークプレート
１４  排液口
２２  通液用スロット
【図１】
2011065318.tif 000003
【図２】
2011065318.tif 000004
【図３】
2011065318.tif 000005
【図４】
2011065318.tif 000006
【図５】
2011065318.tif 000007
【国際調査報告】
2011065318.tif 000008
2011065318.tif 000009
2011065318.tif 000010
2011065318.tif 000011